(57)【特許請求の範囲】
【請求項１】
電気を駆動源とする複数の移動体を移送する集団移送装置であって、
前記複数の移動体と通信を行う通信手段と、
前記複数の移動体を牽引する牽引手段と、
自らの駆動源となる走行用バッテリと、
前記複数の移動体のバッテリを牽引走行中に充電する充電用バッテリと、
前記牽引手段で前記複数の移動体を牽引する際の走行状況を判定する判定手段と、
前記通信手段により前記複数の移動体のそれぞれと通信を行い、前記走行用バッテリから前記複数の移動体の前記バッテリへの充電が実現されない態様で、前記判定手段で判定された前記走行状況に応じて、前記充電用バッテリから前記複数の移動体の前記バッテリへのそれぞれの充放電制御を行う制御手段と、
を備えることを特徴とする集団移送装置。
【請求項２】
前記制御手段は、前記走行用バッテリの電気容量と前記充電用バッテリの電気容量とを、前記判定手段で判定される前記走行状況に応じて可変に制御することを特徴とする請求項１に記載の集団移送装置。
【請求項３】
前記制御手段は、前記判定手段により第１の走行状況が判定された場合、前記走行用バッテリで走行を行ない、第２の走行状況が判定された場合、前記走行用バッテリと、前記複数の移動体のバッテリとにより走行させることを特徴とする請求項２に記載の集団移送装置。
【請求項４】
前記制御手段は、前記判定手段により第３の走行状況が判定された場合、前記充電用バッテリを制御して、前記複数の移動体のバッテリ残量に応じて充電を行い、かつ、前記移動体の回生ブレーキを利用して充電させることを特徴とする請求項２又は３に記載の集団移送装置。
【請求項５】
電気を駆動源とする複数の移動体を移送する集団移送装置であって、
前記複数の移動体と通信を行う通信手段と、
前記複数の移動体を牽引する牽引手段と、
自らの駆動源となる走行用バッテリと、
前記複数の移動体のバッテリを牽引走行中に充電する充電用バッテリと、
前記牽引手段で前記複数の移動体を牽引する際の走行状況を判定する判定手段と、
前記通信手段により前記複数の移動体のそれぞれと通信を行い、前記判定手段で判定された前記走行状況に応じて、前記充電用バッテリから前記複数の移動体の前記バッテリへのそれぞれの充放電制御を行う制御手段と、
を備え
前記牽引手段は、
進行方向に延びる主軸と、
前記主軸に略直交する方向又は一定の角度の方向に伸び、前記主軸に対して所定の間隔で配置され、前記複数の移動体を連結する連結手段と、
を有し、
前記制御手段は、
前記充電用バッテリから前記連結手段を介して、前記連結された前記移動体の前記バッテリを充電することを特徴とする集団移送装置。
【請求項６】
前記牽引手段は、牽引する前記移動体の数、及び前記移動体の車長に応じて、前記主軸が伸縮する機構を有することを特徴とする請求項５に記載の集団移送装置。
【発明の詳細な説明】
【技術分野】
【０００１】
本発明は、集団移送装置に関し、特に電気を駆動源とする複数の移動体を移送する集団移送装置に関する。
【背景技術】
【０００２】
近年、交通手段である自動車の技術は、動力機能がガソリンエンジンから電気モータに代わり、制御機能として自動走行や自動ブレーキに関する技術の実用化が進み、個々の自動車がネットワークを介して他の機器と接続できるネットワーク機能の発達が著しい。一方、環境への配慮、維持費の高騰、高齢者の増加等の問題により、個人における自動車の所有台数は、年々、減少している。
【０００３】
しかしながら、例えば、自宅から駅や店舗等への人の移動、或いは荷物の運搬等、人や物が移動する手段に対する需要が減少しているわけではない。そこで、より便利で手軽な移動体と、ユーザの都合と目的に合わせた時間と場所に、移動体を柔軟かつスムーズに運行することができる交通システムが望まれている。
【０００４】
このようなユーザの要請に応じて移動体を配車する交通システムは、基本的に地域密着型であり、所定範囲の地域で運用される。そして、ある地域で運用されている交通システムを他の地域でも有効であるかを試験的に導入し、有効である場合には上記の交通システムを正式に導入することが想定される。また、交通の需要が一時的に増大し、ある地域から別の地域に移動体を応援として派遣したり、地域間にまたがって移動体を運用したりする場合も想定される。このような場合、ある地域に複数の移動体をまとめて移送する必要がある。ここでは、移動体のサービス地域の拡張又はサービス地域間の協調が必要となる場合がある。このため、発明者らは、特願２０１４−０６６９８７号において、新しい地域密着型の交通システムにおける移動体群編成装置を提案している。
【０００５】
一方、特許文献１には、遠隔地域に複数の移動体をまとめて輸送する輸送システムが提案されている。特許文献１によれば、輸送システムは、高速自動車道を走行する牽引車と、牽引車に連結され、複数の車両を輸送する複数の被牽引車とからなり、被牽引車は、車両を積載するための車両積載手段と、車両を固定するための車両固定手段と、車両を降車させるための車両降車手段とを備える。この構成により、被牽引車に車両を複数積載することができ、車両は自走する必要がなく、地球環境温暖化の元凶とされるＣＯ２の発生を削減することができる。
【０００６】
しかしながら、特許文献１のシステムでは、牽引車は、複数の被牽引車を牽引して走行するため、牽引車の運転負荷が増大する。また、ガソリンエンジンを搭載した車両では問題はないが、電気モータ駆動の車両では、遠隔地に移送される場合、バッテリを充電しておく必要があり、目的地到着後に車両の充電を行うと、充電に時間を要してしまい、即座に稼働できないといった課題がある。
【０００７】
他方、特許文献２には、最小限の乗用車両と走行移動能力付加車両を組み合わせて一体構成が可能な可変構成自動車であって、走行移動方法と乗車人数に応じて最適で必要最小限な車両構成とする車両システムが提案されている。特許文献２の車両システムは、牽引車に相当する公共乗入母車と、被牽引車に相当する子車とを含み、子車は、乗入地点で公共乗入母車に乗込んで公共乗入母車の統括の基に走行し、離脱地点で離脱し、以後は単独走行で目的地へ移動することができる。また、子車は、公共乗入母車からエネルギー補給を受け、あるいは回生エネルギーを返すこともできる。このような構成にすることで、公共乗入母車の運転負荷が減少し、また、子車は、公共乗入母車からエネルギー補給を受けることができるため、特許文献１の課題を解決することも考えられる。しかしながら、特許文献２には、子車が公共乗入母車からエネルギー補給を受けるために必要な具体的な構成については開示されていない。
【先行技術文献】
【特許文献】
【０００８】
【特許文献１】特開２０１４−００８９４５号公報
【特許文献２】特開２００９−１７６２９５号公報
【発明の概要】
【発明が解決しようとする課題】
【０００９】
そこで、本発明では、牽引中の移動体の充電を効率的に行うことができる移動体の集団移送装置を提供することを目的とする。
【課題を解決するための手段】
【００１０】
上記課題を解決するため、本発明の移動体の集団移送装置は、以下のような解決手段を提供する。
【００１１】
本発明の集団移送装置は、電気を駆動源とする複数の移動体を移送する集団移送装置であって、前記複数の移動体と通信を行う通信手段と、前記複数の移動体を牽引する牽引手段と、自らの駆動源となる走行用バッテリと、前記複数の移動体のバッテリを牽引走行中に充電する充電用バッテリと、前記牽引手段で前記複数の移動体を牽引する際の走行状況を判定する判定手段と、前記通信手段により前記複数の移動体のそれぞれと通信を行い、前記判定手段で判定された前記走行状況に応じて前記複数の移動体の前記バッテリのそれぞれの充放電制御を行う制御手段と、を備えることを特徴とする。
【００１２】
また、上記の集団移送装置において、前記制御手段は、前記走行用バッテリの電気容量と前記充電用バッテリの電気容量とを、前記判定手段で判定される前記走行状況に応じて可変に制御してもよい。
【００１３】
また、上記の集団移送装置において、前記制御手段は、前記判定手段により第１の走行状況が判定された場合、前記走行用バッテリで走行を行ない、第２の走行状況が判定された場合、前記走行用バッテリと、前記複数の移動体のバッテリとにより走行させてもよい。
【００１４】
また、上記の集団移送装置において、前記制御手段は、前記判定手段により第３の走行状況が判定された場合、前記充電用バッテリを制御して、前記複数の移動体のバッテリ残量に応じて充電を行い、かつ、前記移動体の回生ブレーキを利用して充電させてもよい。
【００１５】
また、上記の集団移送装置において、前記牽引手段は、進行方向に延びる主軸と、前記主軸に略直交する方向又は一定の角度の方向に伸び、前記主軸に対して所定の間隔で配置され、前記複数の移動体を連結する連結手段と、を有し、前記制御手段は、前記充電用バッテリから前記連結手段を介して、前記連結された前記移動体の前記バッテリを充電してもよい。
【００１６】
また、上記の集団移送装置において、前記牽引手段は、牽引する前記移動体の数、及び前記移動体の車長に応じて、前記主軸が伸縮する機構を有してもよい。
【発明の効果】
【００１７】
本発明によれば、牽引走行中に移動体の充電を効率的に行うことができる移動体の集団移送装置を提供することができる。
【図面の簡単な説明】
【００１８】
【図１】本発明の実施形態に係る集団移送装置の概念を説明する図である。
【図２】本発明の実施形態に係る牽引車１００の機能ブロックを示した図である。
【図３】本発明の実施形態に係る牽引車１００に移動体を搭載した上面図である。
【図４】本発明の実施形態に係る牽引車１００に移動体を搭載した斜視図である。
【図５】本発明の実施形態に係る牽引車１００の牽引手段の主軸が伸縮した一例を示す例である。
【図６】本発明の実施形態に係る牽引車１００の充放電処理を示すフローチャートである。
【発明を実施するための形態】
【００１９】
以下、添付図面を参照して、本発明を実施するための形態（以下、本実施形態と言う）について詳細に説明する。なお、実施形態の説明の全体を通して同じ要素には同じ番号または符号を付している。
【００２０】
図１は、本発明の実施形態に係る集団移送装置の概念を説明する図である。本発明に係る交通システムは、地域における交通の利便性を向上し、当該地域における住民やサービサ（サービス提供者、例えば、宅配業者、移動店舗、公共交通機関、役所、病院、地域企業、スーパやコンビニ等の小売店等）における人や物の移動需要を喚起し、当該地域を活性化することを目的としたものである。
【００２１】
上記の交通システムにおける移動体４０は、自動運転に関する周知のシステムを備えた電気自動車であり、サーバ（図示せず）から受信した配車指示情報に示された日時において、配車指示情報に示されたルートを自動運転により、ユーザ又は荷物等を運び走行する。移動体４０は、例えば、前述の特願２０１４−０６６９８７号で説明した各種の形態の自動走行可能な移動体４０ａ、この移動体４０ａに客車又は荷台を備えた形態の移動体４０ｂの他、一般的な小型電気自動車の形態の移動体４０ｃであってもよい。
【００２２】
本実施形態の集団移送装置は、例えば、複数の移動体４０を牽引する手段を備えた牽引車であり、以降では牽引車１００と呼ぶことにする。牽引車１００は、サーバから受信した配車指示情報に基づき、移動元で複数の移動体４０と連結して、所定の地域（移動先）に配車を行う。移動体４０は、電池残量が所定値以下となった場合、牽引車１００のバッテリを経由して、充電される。そして、移動体４０は、所定地域に移送された後に、牽引車１００から分離して、その地域においてユーザや荷物等を運ぶ役割を果たす。
【００２３】
このような構成により、牽引車１００は、図示を省略したサーバから、所定地域に複数の移動体４０を配車するよう指示を受けると、所定地域の環境及び所定地域までの経路の状況（特に坂道の長さや勾配等の道路情報）を示す情報を収集する。そして、牽引車１００は、これらの情報に基づき、複数の移動体４０の車種や連結の態様を決定し、所定地域に移動体４０を集団で移送する。
【００２４】
（牽引車１００の構成）
図２は、本実施形態に係る牽引車１００の機能ブロックを示した図である。また、図３、図４は、牽引車１００の上面図及び斜視図である。これらの図で図示するように、牽引車１００は、牽引車本体５０と、牽引車本体５０の後部に結合された牽引部（牽引手段）６０と、を備える。
【００２５】
牽引車本体５０は、図３及び図４に示すように、四角形状のボディの下側に４つの車輪が設けられ、ボディの前面の上部には、内部及び外部から視認可能な窓が備えられており、ボディの前面の下部には、ライトが備えられ、ボディの左右側には、人が乗り入れ可能なドアが備えられている。なお、牽引車本体５０は、単独でも走行可能であり、自動運転か人間による運転かは特に限定されない。牽引車本体５０は、後部の連結部６２に備えられている連結機構（図示せず）によって、牽引部６０と連結される。牽引部６０は、さらに主軸６１、連結部６２、接続部６３で構成される。また、牽引車本体５０の屋根には、太陽光パネル７０を備えるようにしてもよい。
【００２６】
図２に戻り、牽引車本体５０は、移動体４０又はサーバ（図示省略）との通信手段として機能する無線通信部５１と、移動体４０との有線通信手段として機能する電力線通信部５２と、移送中の道路情報からの走行状況を検出する走行状況検出部５３と、走行状況に応じて牽引時の走行方法や充放電の方法を判定する判定部（判定手段）５４と、走行用のバッテリと充電用のバッテリを含むバッテリ部５５と、制御部（制御手段）５８と、から構成される。
【００２７】
無線通信部５１は、図示を省略したサーバや、移動体４０との間を無線で通信を行う通信インタフェースである。
【００２８】
電力線通信部５２は、電源用の配線又はその他の有線ケーブルを利用して通信を行う通信インタフェースである。牽引車１００は、牽引車本体５０に結合されている牽引部６０に移動体４０が連結されることによって、移動体４０と有線で通信が可能になり、かつ、移動体４０の充放電制御を行う。
【００２９】
走行状況検出部５３は、図示を省略したサーバから、所定の地域に複数の移動体４０を配車するように指示を受けると、所定の地域の環境、及び所定地域までの経路の状況を示す道路情報を収集し、現在の走行状況を検出する。
【００３０】
判定部５４は、走行状況検出部５３が検出した道路情報からの走行状況及びその他の情報に基づいて、牽引車本体５０に移動体４０の牽引時の走行方法及び充放電に適する方法を判定する。すなわち、走行状況検出部５３が検出した道路情報及び移動体４０の情報（移動体の数、充電量、重量等）から、牽引車本体５０と牽引されている移動体４０に対して駆動命令や充電命令を発行する。なお、ここでは、３つの走行状況（第１の走行状況、第２の走行状況、第３の走行状況）を判定するものとする。なお、判定部５４は、走行状況検出部５３と一体に構成してもよい。
【００３１】
第１の走行状況とは、牽引車１００の充電用バッテリ５７により移動体４０に安定的に充電が可能な状態である。すなわち、第１の走行状況は、牽引車１００の走行用バッテリ５６単独で走行が可能であり、例えば、定速走行状態若しくは平地走行状態であり、又はその他同様の状態（牽引する移動体４０の数が少なく、総重量も比較的軽いとき等）も含む。
【００３２】
第２の走行状況とは、移動体４０に充電を行うことができず、逆に、選択された移動体４０のバッテリ４１を消費して移動体４０から駆動力を補助的に受けて全体が走行する状態である。このとき、補助的な駆動力として選択される移動体４０は、牽引されている移動体４０全体であってもよいし、一部の移動体４０のみであってもよい。すなわち、第２の走行状況は、牽引車１００の走行用バッテリ５６単独では牽引が困難な状況であり、例えば、所定時間以上の加速状態若しくは所定距離又は所定勾配以上の登り坂での走行状態であり、走行用バッテリ５６の残量が十分でない状態、又はその他同様の状態（牽引する移動体４０の数が多く、総重量も比較的重いとき等）も含む。
【００３３】
第３の走行状況とは、牽引車１００が単独で走行が可能であり、かつ走行の負荷が少ない状態であり、移動体４０に第１の走行状況に比べ、安定的ではないが、多くの充電が可能な状態である。例えば、所定時間以上の減速若しくは所定距離又は所定勾配以上の下り坂での走行状態であり、又はその他同様の状態（天候がよく、搭載する太陽光パネル等からの充電量が多いとき等）も含む。すなわち、第３の走行状況は、牽引車１００の充電用バッテリ５７を充電可能で、更に移動体４０を充電可能な状態である。
【００３４】
バッテリ部５５は、走行用バッテリ５６と、充電用バッテリ５７とからなる。また、バッテリ部５５は、走行用バッテリ５６と充電用バッテリ５７の容量比を可変とする手段を備えてもよい。例えば、バッテリ部５５全体に備えたバッテリの数を、一部を走行用に割り当て、残りの部分を充電用に割り当てる手段を有するようにしてもよい。
【００３５】
走行用バッテリ５６は、牽引車本体５０が走行するため、すなわち自らの駆動源となるバッテリである。充電用バッテリ５７は、牽引された複数の移動体４０のバッテリを走行中に充電するために必要な電力を蓄積するバッテリである。なお、走行用バッテリ５６も必要時には充電用バッテリ５７からも電力の供給を受けることができる。また、牽引車１００には、充電用バッテリ５７に自然エネルギーで電力を供給するための太陽光パネル等を備えていてもよい。牽引車１００は、移動先に到着後は、移動体４０の充電ステーションとして機能させることも可能とし、そのための外部電源への接続手段を備えてもよい。
【００３６】
制御部５８は、無線通信部５１、又は電力線通信部５２を介して移動体４０のそれぞれと通信を行い、判定部５４で判定された走行状況に応じて移動体４０のバッテリのそれぞれの充放電制御を行う。判定部５４によって、第１の走行状況が判定された場合は、走行用バッテリ５６で走行を行ない、第２の走行状況が判定された場合は、自らの走行用バッテリ５６を使った駆動力に、選択された複数の移動体４０の駆動力を加えて走行する。判定部５４により第３の走行状況が判定された場合は、充電用バッテリ５７を制御して、複数の移動体４０のバッテリ残量に応じて充電を行い、かつ、移動体４０の回生ブレーキを利用して充電させる（回生充電）。回生充電をする際には、回転抵抗が発生するため、牽引部６０の主軸６１に対して左右の抵抗がバランスよく制御されることが望ましい。そこで、回生充電するときは、左右で隣り合った移動体４０をセットで充電するとよい。更にその充電制御を効率よく行うために、連結する際に充電量の近い移動体４０同士を左右に配置するように連結するとよい。また、制御部５８は、牽引している移動体４０からそれぞれのバッテリ４１のバッテリ残量を移動体との通信手段によって取得し、バッテリ残量が所定値未満（例えば、フル充電時の５０％未満）の移動体４０を選出して、選出した複数の移動体４０のバッテリ４１の充電を行う。あるいは、バッテリ残量が所定値未満かどうかにかかわらず、バッテリ残量の少ない移動体４０ほど優先して充電を行うようにしてもよい。なお、図示を省略しているが、牽引車１００は、電気で駆動するために必要な公知の駆動手段（バッテリ、インバータ、モータ、ブレーキ等）を備えており、それらの制御を行う。
【００３７】
牽引部６０は、図３及び図４に示すように、進行方向に延びる主軸６１と、主軸６１に略直交する方向又は一定の角度の方向に伸び、主軸６１に対して所定の間隔で配置され、複数の移動体４０を連結する連結部（連結手段）６２とを有し、充電用バッテリ５７から連結部６２を介して、連結された移動体４０のバッテリ４１を充電する。なお、連結部６２には、接続部６３が設けられており、牽引時に接続部６３によって、牽引部６０と、移動体４０とを結合する。
【００３８】
図５は、本発明の実施形態に係る牽引車１００の牽引手段の主軸が伸縮した一例を示す例である。図５に示すように、図５（ａ）は、牽引部６０の主軸６１が伸びている状態（例えば、移動体４０の牽引前）を示し、図５（ｂ）は、図５（ａ）に対して、主軸６１が短くなっている状態を示している。また、図５（ｃ）は、図５（ｂ）の状態からさらに連結部６２及び後部の車輪が横方向に短くなっている状態を示している。牽引部６０は、牽引する移動体４０の数及び移動体４０の車長に応じて、主軸６１が伸縮可能となる機構を有している。なお、各連結部６２において、上記条件に応じて伸縮可能となる機構を有していてもよい。このようにすることで、様々なサイズの移動体４０を牽引することができ、かつ牽引を行わないときは、コンパクトに折りたたむことができる。
【００３９】
移動体４０は、駆動用のバッテリ４１を備える。また、図示を省略しているが、移動体４０は、電気で駆動するために必要な公知の駆動手段（バッテリ、インバータ、モータ、ブレーキ等）を備える。
【００４０】
図６は、本実施形態に係る牽引車１００の充放電処理を示すフローチャートである。なお、以下に説明する処理は、必ずしもこのフローチャートで示した順で処理される必要はなく、各処理ブロックの入力データと出力データの関係が損なわれない限り、処理順序を変更してもよい。
【００４１】
まず、ステップＳ１１において、牽引車本体５０の制御部５８は、サーバ又は移動体４０から移動体４０の移送先、及び移動体４０の接続台数を受信する。なお、予め、サーバの指示又は牽引を希望する移動体４０より無線通信部５１から移動体４０の接続台数を取得してもよいし、移動体４０が牽引部６０の接続部６３に結合することで電力線通信部５２を介して、接続台数を取得してもよい。
【００４２】
次に、ステップＳ１２において、制御部５８は、取得した移動体４０の接続台数に基づき、バッテリ部５５に搭載されている走行用バッテリ５６と充電用バッテリ５７の容量比Ｂ１：Ｂ２の設定を行う。
【００４３】
続いて、ステップＳ１３において、牽引車１００が指定された地域へ移送（走行）を開始すると、ステップＳ１４の処理に進み、制御部５８は、ステップＳ１２で設定されたバッテリ部５５の容量比に基づき、充放電を開始する。
【００４４】
ステップＳ１５において、走行状況検出部５３は、図示を省略したサーバ、又は移動体４０から受信した移送先までの環境情報及び経路情報（走行状況）を取得し、判定部５４に送信する。
【００４５】
続いて、ステップＳ１６において、判定部５４は、走行状況検出部５３が検出した走行状況及び移動体４０の情報（移動体の数、充電量、重量など）に基づき、現在走行中の充放電に適した状況が下記３つの走行状況のうちのどれに該当するかを判定する。
【００４６】
制御部５８は、判定部５４で第１の走行状況と判定された場合（ステップＳ１６“第１の走行状況”）、ステップ１７の処理に移り、自車両（牽引車１００）の駆動力のみによる移送に切替え、牽引車１００の走行用バッテリ５６によってのみ走行する。
【００４７】
制御部５８は、判定部５４で第２の走行状況と判定された場合（ステップＳ１８“第２の走行状況”）、通信手段を介して、接続された各移動体４０のバッテリ４１の残容量を取得する。
【００４８】
次に、制御部５８は、移動体４０をバッテリ４１の残容量が多い順にｎ台選出し（ステップＳ１９）、例えば、高負荷となる坂道や、天候による悪路等の状況に応じて牽引車１００の走行用バッテリ５６による駆動力と、選択したｎ台の移動体４０のバッテリ４１による駆動力を合わせて移送を行う（ステップＳ２０）。
【００４９】
制御部５８は、判定部５４で第３の走行条件と判定された場合（ステップＳ２１“第３の走行状況”）、各移動体４０に回生制御（回生ブレーキ）を利用して充電を行う指示を送る。このことにより、各移動体４０のバッテリ４１の充電が可能になる（ステップＳ２１）。
【００５０】
このとき、制御部５８は、通信手段を介して各移動体４０のバッテリ４１の残容量を取得し（ステップＳ２２）、例えば、残容量が少ない移動体４０を優先して充電制御を行う（ステップＳ２３）。
【００５１】
（実施形態の効果）
以上の説明のように本実施形態に係る牽引車１００は、電気を駆動源とする複数の移動体４０を移送する集団移送装置であって、複数の移動体４０と通信を行う通信部（５１、５２）と、複数の移動体４０を牽引する牽引部６０と、自らの駆動源となる走行用バッテリ５６と、複数の移動体４０のバッテリ４１を牽引走行中に充電する充電用バッテリ５７と、牽引部６０で複数の移動体４０を牽引する際の走行状況を判定する判定部５４と、を備える。そして、通信部（５１、５２）により複数の移動体４０のそれぞれと通信を行い、判定部５４で判定された走行状況に応じて複数の移動体４０のバッテリ４１のそれぞれの充放電制御を行う制御部５８を備える。これにより、移動体４０のエネルギー補給（バッテリ４１の充電）を、迅速、かつ効率的に行うことができる。
【００５２】
また、制御部５８は、走行用バッテリ５６の電気容量と充電用バッテリ５７の電気容量とを、判定部５４で判定される走行状況に応じて可変に制御する。また、制御部５８は、判定部５４により第１の走行状況が判定された場合、走行用バッテリ５６で走行を行なう。そして、第２の走行状況が判定された場合、走行用バッテリ５６と、複数の移動体４０のバッテリ４１とにより走行させる。また、第３の走行状況が判定された場合、充電用バッテリ５７を制御して、複数の移動体４０のバッテリ残量に応じて充電を行い、かつ、移動体４０の回生ブレーキを利用して充電させる。これにより、配車する移動体４０の数、配車先の距離、及び、移動先までの走行状況に応じて、電気容量を可変にできるため、無駄のない電気容量の配分が可能となる。
【００５３】
また、牽引部６０は、進行方向に延びる主軸６１と、主軸６１に略直交する方向又は一定の角度で伸び、主軸６１に対して所定の間隔で配置され、複数の移動体４０を連結する連結部６２と、を有する。そして、制御部５８は、充電用バッテリ５７から連結部６２を介して、連結された移動体４０のバッテリ４１を充電する。また、牽引部６０は、牽引する移動体４０の数、及び移動体４０の車長に応じて、主軸６１が伸縮する機構を有する。これにより、牽引中にバッテリ充電ができるとともに、牽引予定の移動体４０の数や車長に応じて牽引車１００全体の車長を可変にすることができる。そして、それぞれの移動体４０が単独で指定された地域に走行せずに、牽引車１００でまとめて移動することで、道路の渋滞緩和やエネルギー消費の削減にもつながる。
【００５４】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５５】
４０    移動体
４１    バッテリ
５０    牽引車本体
５１    無線通信部（通信手段）
５２    電力線通信部（通信手段）
５３    走行状況検出部
５４    判定部（判定手段）
５５    バッテリ部
５６    走行用バッテリ
５７    充電用バッテリ
５８    制御部（制御手段）
６０    牽引部（牽引手段）
６１    主軸
６２    連結部（連結手段）
６３    接続部
７０    太陽パネル
１００  牽引車（集団移送装置）
【図１】
0006565009.tif 000002
【図２】
0006565009.tif 000003
【図３】
0006565009.tif 000004
【図４】
0006565009.tif 000005
【図５】
0006565009.tif 000006
【図６】
0006565009.tif 000007